(57)【要約】【課題】複数の送信器と受信器とを備え、送信器からの電波が受信器に正常に届かない場合に中継器が設置される無線通信システムにおいて、受信器及び中継器に対し、受信対象若しくは中継対象となる送信器を効率よく登録できるようにする。【解決手段】受信器３０は、受信対象となる送信器１０の識別情報（送信器ＩＤ）を不揮発性メモリ４２に登録することで、送信器１０からの送信信号を受信し、その旨を表示部３４に表示する。また、送信器１０の登録時には、送信器１０が中継器５０を使用するか否かを選択することで、中継器５０の利用を設定可能であり、中継器５０の利用が設定された際には、受信器３０が、その中継器５０に送信器１０の送信器ＩＤを送信することで、中継器５０に、中継対象となる送信器１０を登録させる。【選択図】図１
2015177448.tif 000002
【特許請求の範囲】
【請求項１】
外部からの指令に従い、機器固有の識別情報を含む信号を無線送信する複数の送信器と、
前記送信器からの送信信号を受信し、該受信信号に含まれる識別情報から送信器を特定して、該送信器からの送信信号を受信した旨を報知する受信器と、
前記送信器からの送信信号を受信し、該受信信号に含まれる識別情報が予め登録された識別情報であるとき、該受信信号を再送信する中継器と、
を備えた無線通信システムにおいて、
前記受信器は、
受信対象となる送信器の登録指令を、該送信器に前記中継器を利用させるか否かを表す中継器利用情報と共に入力するための登録指令入力手段と、
前記登録指令入力手段から前記登録指令が入力された後、前記送信器からの送信信号を受信すると、該受信信号に含まれる識別情報を、前記受信対象となる送信器の識別情報として記憶する送信器登録手段と、
前記登録指令入力手段から前記登録指令と共に入力された前記中継器利用情報に基づき、前記送信器登録手段が前記識別情報を記憶した送信器に前記中継器を利用させるか否かを判断し、該送信器に前記中継器を利用させる場合に、該送信器の識別情報を含む登録指令を前記中継器に無線送信する登録指令送信手段と、
を備え、
前記中継器は、前記受信器から、前記送信器の識別情報を含む登録指令を受信すると、該識別情報を、受信信号を再送信すべき送信器の識別情報として記憶する再送信対象登録手段を備えたことを特徴とする無線通信システム。
【請求項２】
前記中継器を複数備え、
前記登録指令入力手段は、前記中継器利用情報として、前記送信器に複数の中継器の何れを利用させるかを識別可能な情報を入力するように構成され、
前記登録指令送信手段は、前記中継器利用情報から、前記送信器登録手段が前記識別情報を記憶した送信器に利用させる中継器を特定し、該特定した中継器に対し前記登録指令を無線送信することを特徴とする請求項１に記載の無線通信システム。
【請求項３】
前記受信器は、
前記送信器登録手段が受信対象として記憶した前記送信器の識別情報を削除する削除指令を入力するための削除指令入力手段と、
前記削除指令入力手段から削除指令が入力されると、前記送信器登録手段が受信対象として記憶した前記送信器の識別情報を削除する送信器削除手段と、
前記送信器削除手段が前記送信器の識別情報を削除すると、該削除した識別情報の送信器は、前記中継器を利用しているか否かを判断して、該送信器が前記中継器を利用している場合に、該送信器の識別情報を含む削除指令を前記中継器に無線送信する削除指令送信手段と、
を備え、
前記中継器は、前記受信器から、前記送信器の識別情報を含む削除指令を受信すると、該識別情報を、再送信対象となる送信器の識別情報の中から削除する再送信対象削除手段を備えたことを特徴とする請求項１又は請求項２に記載の無線通信システム。
【発明の詳細な説明】
【技術分野】
【０００１】
本発明は、送信器と受信器との間に中継器を配置してなる無線通信システムに関する。
【背景技術】
【０００２】
従来、例えば、レストラン等で客が接客係を呼び出すための無線通信システムとして、呼び出し用の送信器からの送信信号を中継器を介して受信器に送信するようにしたものが知られている。
【０００３】
この種の無線通信システムでは、中継器に、中継対象となる送信器の識別情報を登録し、受信器に、受信対象となる送信器の識別情報を登録する必要がある。
この場合、中継器及び受信器に対し、送信器の識別情報を各々登録するようにすると、登録作業が面倒である。
【０００４】
そこで、従来、中継器に登録した識別情報を受信器に一斉送信することが提案されている（例えば、特許文献１参照）。
この提案の無線通信システムは、中継器が一台で、複数の送信器からの送信信号を、全て、中継器を介して複数の受信器に送信するシステムであり、中継器及び受信器に全ての送信器を登録する必要がある。
【０００５】
従って、この提案の無線通信システムによれば、中継器に登録した全ての送信器の識別情報を、中継器から全ての送信器に一斉送信することで、受信器に対する送信器の登録作業を簡単に行うことができるようになる。
【先行技術文献】
【特許文献】
【０００６】
【特許文献１】特開２００１−１０２９８１号公報
【発明の概要】
【発明が解決しようとする課題】
【０００７】
しかしながら、無線通信システムには、上記提案のシステムとは異なり、複数の送信器が、特定の場所に設置された１台の受信器に対し信号を送信し、送信器からの信号が受信器に直接届かない場合に、送信器からの信号を中継器にて中継させるシステムもある。
【０００８】
そして、この種の無線通信システムにおいて、上記提案の登録手順で送信器を登録させると、中継器に登録した送信器の識別情報については、中継器からの一斉送信により受信器に登録することができるものの、中継器を利用しない送信器の識別情報を登録することができなくなる。
【０００９】
従って、この場合、中継器を利用しない送信器については、中継器に直接登録しなければならず、登録に手間がかかる。
一方、上記提案の登録手順において、中継器に代えて受信器に全ての送信器の識別情報を登録し、受信器から中継器に送信器の識別情報を一斉送信させることで、中継器に送信器を登録することも考えられる。
【００１０】
しかし、この場合、中継器には、受信器に受信させる全ての送信器の識別情報が中継器に登録され、中継器が、中継の必要のない送信器からの送信電波も中継してしまうことになるので、通信トラフィックが増大する。そして、通信トラフィックが増大すると、送信器及び中継器からの送信電波が衝突し、通信不良が発生する確率が高くなってしまう。
【００１１】
本発明は、こうした問題に鑑みなされたものであり、複数の送信器と受信器とを備え、送信器からの電波が受信器に正常に届かない場合に中継器が設置される無線通信システムにおいて、受信器及び中継器に対し、受信対象若しくは中継対象となる送信器を効率よく登録できるようにすることを目的とする。
【課題を解決するための手段】
【００１２】
かかる目的を達成するためになされた請求項１に記載の発明は、
外部からの指令に従い、機器固有の識別情報を含む信号を無線送信する複数の送信器と、
前記送信器からの送信信号を受信し、該受信信号に含まれる識別情報から送信器を特定して、該送信器からの送信信号を受信した旨を報知する受信器と、
前記送信器からの送信信号を受信し、該受信信号に含まれる識別情報が予め登録された識別情報であるとき、該受信信号を再送信する中継器と、
を備えた無線通信システムにおいて、
前記受信器は、
受信対象となる送信器の登録指令を、該送信器に前記中継器を利用させるか否かを表す中継器利用情報と共に入力するための登録指令入力手段と、
前記登録指令入力手段から前記登録指令が入力された後、前記送信器からの送信信号を受信すると、該受信信号に含まれる識別情報を、前記受信対象となる送信器の識別情報として記憶する送信器登録手段と、
前記登録指令入力手段から前記登録指令と共に入力された前記中継器利用情報に基づき、前記送信器登録手段が前記識別情報を記憶した送信器に前記中継器を利用させるか否かを判断し、該送信器に前記中継器を利用させる場合に、該送信器の識別情報を含む登録指令を前記中継器に無線送信する登録指令送信手段と、
を備え、
前記中継器は、前記受信器から、前記送信器の識別情報を含む登録指令を受信すると、該識別情報を、受信信号を再送信すべき送信器の識別情報として記憶する再送信対象登録手段を備えたことを特徴とする。
【００１３】
また、請求項２に記載の発明は、請求項１に記載の無線通信システムにおいて、
前記中継器を複数備え、
前記登録指令入力手段は、前記中継器利用情報として、前記送信器に複数の中継器の何れを利用させるかを識別可能な情報を入力するように構成され、
前記登録指令送信手段は、前記中継器利用情報から、前記送信器登録手段が前記識別情報を記憶した送信器に利用させる中継器を特定し、該特定した中継器に対し前記登録指令を無線送信することを特徴とする。
【００１４】
また、請求項３に記載の発明は、請求項１又は請求項２に記載の無線通信システムにおいて、
前記受信器は、
前記送信器登録手段が受信対象として記憶した前記送信器の識別情報を削除する削除指令を入力するための削除指令入力手段と、
前記削除指令入力手段から削除指令が入力されると、前記送信器登録手段が受信対象として記憶した前記送信器の識別情報を削除する送信器削除手段と、
前記送信器削除手段が前記送信器の識別情報を削除すると、該削除した識別情報の送信器は、前記中継器を利用しているか否かを判断して、該送信器が前記中継器を利用している場合に、該送信器の識別情報を含む削除指令を前記中継器に無線送信する削除指令送信手段と、
を備え、
前記中継器は、前記受信器から、前記送信器の識別情報を含む削除指令を受信すると、該識別情報を、再送信対象となる送信器の識別情報の中から削除する再送信対象削除手段を備えたことを特徴とする。
【発明の効果】
【００１５】
請求項１に記載の無線通信システムにおいては、受信器に、登録指令入力手段、送信器登録手段、及び登録指令送信手段が設けられ、中継器に、再送信対象登録手段が設けられている。
【００１６】
登録指令入力手段は、信号を受信して報知すべき送信器の登録指令を、その送信器に中継器を利用させるか否かを表す中継器利用情報と共に入力するためのものである。
そして、登録指令入力手段から登録指令が入力され、その後、送信器からの送信信号を受信すると、送信器登録手段が、その受信信号に含まれる識別情報を、受信対象となる送信器の識別情報として記憶する。
【００１７】
また、登録指令入力手段から登録指令が入力されると、登録指令送信手段が、その登録指令と共に入力された中継器利用情報に基づき、送信器登録手段が識別情報を記憶した送信器に中継器を利用させるか否かを判断し、その送信器に中継器を利用させる場合には、その送信器の識別情報を含む登録指令を中継器に無線送信する。
【００１８】
一方、中継器においては、受信器から登録指令を受信すると、再送信対象登録手段が、その登録指令に含まれている送信器の識別情報を、受信信号を再送信すべき送信器の識別情報として記憶する。
【００１９】
従って、本発明の無線通信システムによれば、使用者は、受信器に送信器を登録する際、送信器に中継器を利用させるか否かを指定してから、送信器から信号を送信させることで、受信器に受信対象となる送信器を登録することができると共に、中継器に対し、中継対象となる送信器を自動で登録させることができる。
【００２０】
従って、受信器及び中継器への送信器の登録作業を簡単に行うことができる。
また、中継器に登録される送信器は、中継器に中継させる送信器だけであるので、中継器が中継する送信器の数を制限して、通信トラフィックが増大するのを防止できる。
【００２１】
また、受信器において、送信器登録手段が、受信対象となる送信器の識別情報を記憶する際、中継器利用情報も記憶するようにすれば、中継器を交換したときや、中継器に送信器を再登録するときに、その記憶された情報を利用して、中継器に登録指令を送信させることができる。このため、中継器を交換したときや、中継器に送信器を再登録するときに、受信器に送信器を再登録する必要がなく、使い勝手を向上できる。
【００２２】
また、受信器において、送信器の登録情報や中継器利用情報を表示（若しくは出力）できるようにすれば、使用者は、無線通信システム全体の構成を簡単に把握できるようになり、これによっても無線通信システムの使い勝手を向上できる。
【００２３】
次に、中継器を複数設置する場合には、受信器の登録指令手段及び登録指令送信手段を、請求項２に記載のように構成するとよい。
すなわち、請求項２に記載の無線通信システムにおいて、登録指令入力手段は、中継器利用情報として、送信器に複数の中継器の何れを利用させるかを識別可能な情報を入力できるように構成される。
【００２４】
そして、登録指令送信手段は、その中継器利用情報から、送信器登録手段が識別情報を記憶した送信器に利用させる中継器を特定し、その特定した中継器に対し登録指令を無線送信する。
【００２５】
従って、請求項２に記載の無線通信システムによれば、中継器を複数設置した場合に、各中継器を利用する送信器を、個々に設定することができる。
一方、請求項３に記載の無線通信システムにおいては、受信器に、削除指令入力手段、送信器削除手段、及び、削除指令送信手段が設けられ、中継器には、再送信対象削除手段が設けられている。
【００２６】
削除指令入力手段は、送信器登録手段が受信対象として記憶した送信器の識別情報を削除する削除指令を入力するためのものである。
そして、削除指令入力手段から削除指令が入力されると、送信器削除手段が、送信器登録手段が受信対象として記憶した送信器の識別情報を削除する。
【００２７】
また、送信器削除手段が送信器の識別情報を削除すると、削除指令送信手段が、その削除された識別情報の送信器は中継器を利用しているか否かを判断し、送信器が中継器を利用している場合に、その送信器の識別情報を含む削除指令を中継器に無線送信する。
【００２８】
これに対し、中継器では、受信器から、送信器の識別情報を含む削除指令を受信すると、再送信対象削除手段が、その削除指令に含まれている識別情報を、再送信対象となる送信器の識別情報の中から削除する。
【００２９】
従って、請求項３に記載の無線通信システムによれば、受信器及び中継器に受信対象若しくは中継対象として登録された送信器を削除する場合にも、登録時と同様、受信器を利用して、簡単に削除することができる。
【図面の簡単な説明】
【００３０】
【図１】実施形態の無線通信システム全体の構成を表す説明図である。
【図２】送信器、受信器、及び中継器の構成を表すブロック図である。
【図３】受信器にて実行される受信対象機器登録処理を表すフローチャートである。
【図４】受信器にて実行される受信対象機器削除処理を表すフローチャートである。
【図５】中継器にて実行される中継対象送信器登録・削除処理を表すフローチャートである。
【発明を実施するための形態】
【００３１】
以下に本発明の実施形態を図面と共に説明する。
図１に示すように、本実施形態の無線通信システムは、例えば、所定施設のテーブル毎に設置される複数の送信器１０と、所定施設の特定の場所に設置される一つの受信器３０と、所定施設内で受信器３０を見通せる任意の場所に設置される複数（図１では２台）の中継器５０と、から構成されている。
【００３２】
送信器１０、受信器３０、及び、中継器５０は、それぞれ、無線通信用のアンテナ１２、３２、５２を備え、例えばＵＨＦ帯の特定小電力無線信号を利用して無線通信が可能である。
【００３３】
図２（ａ）に示すように、送信器１０は、無線送信用の送信部１４と、使用者により操作される操作スイッチ（以下、操作ＳＷとも記載する）１６とを備える。
また、送信器１０には、操作ＳＷ１６が操作された際に、送信器１０に設定されている識別情報（以下、送信器ＩＤともいう）を含む送信信号を送信部１４に出力することで、送信信号を送信部１４からアンテナ１２を介して無線送信させるマイクロコンピュータ（以下、マイコンという）２０、及び、これら各部に電源供給を行う電池１８が内蔵されている。
【００３４】
次に、受信器３０は、アンテナ３２を介して、各送信器１０からの送信信号を直接、若しくは中継器５０を介して受信し、受信信号に予め登録されている送信器ＩＤが含まれている場合に、その送信器ＩＤと共に記憶されている登録番号を表示部３４に表示するものであり、図２（ｂ）に示すように構成されている。なお、表示部３４への登録番号の表示によって、施設の従業員等に対し、送信器１０が設置されたテーブルからの呼び出しがあったことを報知することができる。
【００３５】
図２（ｂ）に示すように、受信器３０には、アンテナ３２及び表示部３４に加えて、送信器ＩＤの登録指令や削除指令等を入力したり、音量調整を行うための操作部３６、アンテナ３２を介して無線通信（送受信）を行うための通信部３８、表示部３４への登録番号の表示と共にスピーカ４６から通知音を発生させるための音声信号を生成する音声信号生成部４４、及び、これら各部に接続されたマイコン４０を備える。
【００３６】
そして、マイコン４０には、送信信号を受信すべき送信器１０の送信器ＩＤ等を記憶しておくための不揮発性メモリ４２が接続されている。
また、受信器３０には、上記各部に電源電圧（直流定電圧）を供給するための電源部４８、及び、商用電源から交流電圧を取り込み、直流電圧に変換して電源部４８に供給するＡＣアダプタ４９が設けられている。
【００３７】
次に、中継器５０は、図１に示した多数の送信器１０の内、予め送信器ＩＤが登録された送信器１０からの送信信号を受信した際に、その送信信号に中継器自身の識別情報（中継器ＩＤ）を付与して再送信するためのものであり、図２（ｃ）に示すように構成されている。つまり、中継器５０は、送信信号が受信器３０に直接届かない送信器１０からの送信信号を中継するのに利用される。
【００３８】
図２（ｃ）に示すように、中継器５０には、アンテナ５２に加えて、点灯により中継器５０が動作中であることを表示する電源ランプ５４、中継器ＩＤの送信指令を入力したり、音量調整を行うための操作部５６、アンテナ３２を介して無線通信（送受信）を行うための通信部５８、送信器ＩＤの登録時等にスピーカ６６から通知音を発生させるための音声信号を生成する音声信号生成部６４、及び、これら各部に接続されたマイコン６０を備える。
【００３９】
そして、マイコン６０には、受信信号を再送信すべき送信器１０の送信器ＩＤ等を記憶しておくための不揮発性メモリ６２、上記各部に電源電圧（直流定電圧）を供給するための電源部６８、及び、商用電源から交流電圧を取り込み、直流電圧に変換して電源部６８に供給するＡＣアダプタ６９が設けられている。
【００４０】
このように構成された本実施形態の無線通信システムにおいては、受信器３０の不揮発性メモリ４２に、送信信号を受信すべき送信器１０の送信器ＩＤ、及び、中継器５０の中継器ＩＤを登録（記憶）しておく必要があり、中継器５０の不揮発性メモリ６２には、送信信号を中継すべき送信器１０の送信器ＩＤを登録（記憶）しておく必要がある。
【００４１】
また、受信器３０での受信、及び、中継器５０での中継、が不要になった送信器１０については、不揮発性メモリ４２、６２から送信器ＩＤを削除する必要がある。
そして、本実施形態では、送信器ＩＤの登録・削除作業は、全て受信器３０を介して行われ、中継器５０に対する送信器ＩＤの登録・削除は、受信器３０から中継器５０への無線送信によって自動で行われる。
【００４２】
以下、この登録・削除動作について、図３〜図５に示すフローチャートに沿って説明する。
図３は、受信器３０のマイコン４０において、受信対象機器である送信器１０及び中継器５０を登録するために実行される受信対象機器登録処理を表している。
【００４３】
この処理は、操作部３６の操作によって、受信器３０の動作モードが、通常の受信モードから登録モードに切り換えられているときに実行される処理であり、処理が開始されると、Ｓ１１０（Ｓはステップを表す）にて、登録機器の種別及び登録番号が選択されたか否かを判断する。
【００４４】
つまり、送信器１０は、送信器ＩＤに登録番号を付与して不揮発性メモリ４２に登録（記憶）され、通信部３８において、不揮発性メモリ４２に送信器ＩＤが登録された送信器１０からの送信信号が受信された際には、送信器ＩＤに対応する登録番号が表示部３４に表示される。
【００４５】
また、中継器５０についても、中継器ＩＤに中継器用の登録番号を付与して不揮発性メモリに登録され、中継器５０を介して送信信号を送信してくる送信器１０については、中継器５０の登録番号にて、どの中継器５０を利用するのかを指定するようにされている。
【００４６】
そこで、本実施形態においては、受信器３０にて受信対象機器を登録する際には、その機器の種別や登録番号を（登録する送信器１０が中継器５０を利用する場合にはその中継器５０の登録番号も）、使用者が操作部３６を介して選択するようにされている。
【００４７】
このため、Ｓ１１０では、これらが使用者に選択されたか否かを判断するのである。そして、Ｓ１１０にて、登録機器の種別及び登録番号が選択されたと判断されると、Ｓ１２０に移行し、そうでなければ、後述のＳ１９０に移行する。
【００４８】
次に、Ｓ１２０では、登録機器が送信器１０であるのか、中継器５０であるのかを判断する。
そして、登録機器が中継器５０であれば、Ｓ１３０に移行して、通信部３８にて、登録すべき中継器５０からの送信信号が受信されるのを待ち、送信信号が受信されると、その受信信号から中継器ＩＤを取得する。
【００４９】
つまり、使用者は、登録機器の種別や登録番号を選択すると、登録機器である送信器１０又は中継器５０の操作ＳＷ１６若しくは操作部５６を操作して、送信器ＩＤ若しくは中継器ＩＤを含む信号を送信させるので、Ｓ１３０では、中継器５０からの送信信号が通信部３８で受信されるのを待って、中継器ＩＤを取得するのである。
【００５０】
また、続くＳ１４０では、Ｓ１３０にて取得した中継器ＩＤを、中継器５０の登録番号と共に不揮発性メモリ４２に記憶し、Ｓ１９０に移行する。
一方、Ｓ１２０にて、登録機器が送信器１０であると判断されると、Ｓ１５０に移行し、通信部３８にて、登録すべき送信器１０からの送信信号が受信されるのを待ち、送信信号が受信されると、その受信信号から送信器ＩＤを取得する。
【００５１】
そして、続くＳ１６０では、Ｓ１５０にて送信器ＩＤを取得した送信器１０は、中継器５０を使用するものとして選択されているか否かを判断する。そして、送信器１０が中継器５０を使用するものとして選択されていれば、Ｓ１８０に移行し、逆に、送信器１０が中継器５０を使用するものとして選択されていなければ、Ｓ１７０に移行する。
【００５２】
Ｓ１７０では、Ｓ１５０にて取得した送信器ＩＤを、送信器１０の登録番号と共に不揮発性メモリ４２に記憶し、Ｓ１９０に移行する。
また、Ｓ１８０では、Ｓ１５０にて取得した送信器ＩＤを、その送信器１０が使用する中継器５０を特定する中継器利用情報と共に、不揮発性メモリ４２に記憶し、Ｓ１９０に移行する。
【００５３】
Ｓ１９０では、受信対象機器登録の終了指令が入力されたか否かを判断する。そして、登録終了指令が入力されていなければ、Ｓ１１０に移行し、登録終了指令が入力されていれば、Ｓ１９５に移行する。
【００５４】
Ｓ１９５では、Ｓ１９０にて終了指令が入力されたと判断されるまでの上記一連の登録処理によって、中継器５０を使用する送信器１０が設定されたか否かを判断する。
Ｓ１９５にて、中継器５０を使用する送信器１０が設定されていると判断されると、Ｓ２００に移行し、その送信器１０が使用する中継器５０に対し、送信器１０の登録指令（送信器１０の識別情報を含む）を送信する。
【００５５】
そして、このようにＳ２００にて、中継器５０に送信器１０の登録指令を送信するか、或いは、Ｓ１９５にて、中継器５０を使用する送信器１０は設定されていないと判断されると、当該受信対象機器登録処理を終了し、中継器の動作モードを通常モードに復帰させる。
【００５６】
次に、図４は、受信器３０のマイコン４０において、受信対象機器である送信器１０及び中継器５０の登録を削除するために実行される受信対象機器削除処理を表している。
この処理は、操作部３６の操作によって、受信器３０の動作モードが、通常の受信モードから削除モードに切り換えられているときに実行される処理であり、処理が開始されると、Ｓ２１０にて、削除すべき機器の登録番号が選択されたか否かを判断する。
【００５７】
そして、Ｓ２１０にて、削除すべき機器の登録番号が選択されたと判断されると、Ｓ２２０に移行し、そうでなければ、Ｓ２３０に移行する。
また、Ｓ２２０では、選択された登録番号とこれに対応する機器のＩＤ（送信器ＩＤ若しくは中継器ＩＤ）を不揮発性メモリ４２から削除し、Ｓ２３０に移行する。
【００５８】
Ｓ２３０では、受信対象機器の削除終了指令が入力されたか否かを判断し、削除終了指令が入力されていなければ、Ｓ２１０に移行し、削除終了指令が入力されていれば、Ｓ２４０に移行する。
【００５９】
Ｓ２４０では、Ｓ２３０にて削除終了指令が入力されたと判断されるまでの上記一連の削除処理によって、中継器５０を使用する送信器１０の登録が削除されたか否かを判断する。
【００６０】
そして、中継器５０を使用する送信器１０の登録が削除されていれば、Ｓ２５０に移行して、その送信器１０が使用する中継器５０に対し、その送信器１０の削除指令（送信器１０の識別情報を含む）を送信する。
【００６１】
また、このようにＳ２５０にて、送信器１０の削除指令を中継器５０に送信するか、或いは、Ｓ２４０にて、中継器５０を使用する送信器１０は削除されていないと判断されると、当該受信対象機器削除処理を終了することで、中継器の動作モードを通常モードに復帰させる。
【００６２】
次に、図５は、中継器５０のマイコン６０において、受信器３０から無線送信されてくる登録指令若しくは削除指令を受けて、中継対象となる送信器１０の登録若しくは削除を行うために実行される、中継対象送信器登録・削除処理を表している。
【００６３】
この処理は、マイコン６０においてメインルーチンの一つとして繰り返し実行される処理であり、処理が開始されると、Ｓ３１０にて、通信部５８にて受信器３０からの送信信号が受信されたか否かを判断する。
【００６４】
そして、受信器３０からの送信信号が受信されていなければ、当該中継対象送信器登録・削除処理を一旦終了し、逆に、受信器３０からの送信信号が受信されていれば、Ｓ３２０に移行して、その受信信号は、登録指令であるか、削除指令であるかを判断する。
【００６５】
そして、受信信号が登録指令であれば、Ｓ３３０に移行し、その登録指令に含まれている送信器ＩＤを取得し、その送信器ＩＤを中継対象送信器として不揮発性メモリ６２に登録（記憶）し、当該中継対象送信器登録・削除処理を一旦終了する。
【００６６】
また、受信信号が削除指令であれば、Ｓ３４０に移行し、その登録指令に含まれている送信器ＩＤを取得し、その送信器ＩＤを不揮発性メモリ６２から削除することで、その送信器ＩＤの送信器１０を中継対象送信器から外し、当該中継対象送信器登録・削除処理を一旦終了する。
【００６７】
以上説明したように、本実施形態の無線通信システムにおいては、受信器３０のマイコン４０にて実行される受信対象機器登録処理及び受信対象機器削除処理により、受信器３０が送信信号を受信すべき送信器１０及び中継器５０の機器ＩＤ（送信器ＩＤ及び中継器ＩＤ）を、不揮発性メモリ４２に対し登録・削除できるようにされている。
【００６８】
また、不揮発性メモリ４２に対し送信器ＩＤを登録又は削除した送信器１０が、中継器５０を利用するように設定されている場合には、受信器３０が、対応する中継器５０に対し、登録指令又は削除指令を送信することで、その送信器１０の送信器ＩＤを登録又は削除させる。
【００６９】
従って、本実施形態の無線通信システムによれば、中継器５０に対し中継対象送信器を登録する場合も、その登録を解除する場合も、受信器３０を介して自動で行うことができ、中継器５０に対する送信器１０の登録・解除作業を極めて簡単に行うことができる。
【００７０】
また、中継器５０に中継対象送信器として登録される送信器１０は、中継器５０による中継が必要な送信器１０だけであるので、中継器５０が中継する送信器１０の数を制限して、通信トラフィックが増大するのを防止できる。
【００７１】
また、受信器３０の不揮発性メモリ４２には、受信対象送信器の送信器ＩＤと共に、その送信器の登録番号、及び、中継器利用情報が記憶されるので、中継器５０を交換したときや、中継器５０に送信器１０を再登録するときに、その記憶された情報を利用して、中継器５０に登録指令を送信させることができる。
【００７２】
このため、中継器５０を交換したときや、中継器５０に送信器１０を再登録するときに、受信器３０に送信器１０を再登録する必要がなく、使い勝手を向上できる。
また、受信器３０において、送信器１０の登録情報や中継器利用情報は、表示部３４に表示させることができるので、使用者は、その表示によって、無線通信システム全体の構成を簡単に把握できるようになる。
【００７３】
なお、本実施形態において、受信器３０の操作部３６は、本発明の登録指令入力手段、削除指令入力手段に相当し、受信器３０のマイコン４０は、本発明の送信器登録手段、登録指令送信手段、送信器削除手段、削除指令送信手段として機能する。また、中継器５０のマイコン６０は、本発明の再送信対象登録手段、再送信対象削除手段として機能する。
【００７４】
以上、本発明の一実施形態について説明したが、本発明は、上記実施形態に限定されるものではなく、本発明の要旨を逸脱しない範囲内にて種々の態様をとることができる。
例えば、上記実施形態では、中継器５０は、複数設置されるものとして説明したが、中継器５０が１台だけ設置されるシステムであっても、本発明は適用できる。
【００７５】
また、上記実施形態では、受信器３０は１台だけ設置されるものとしても、受信器３０が複数台設置されるシステムであっても、各受信器３０が送信信号を受信する送信器１０が異なる場合には、本発明を適用することで、上記実施形態と同様の効果を得ることができる。
【符号の説明】
【００７６】
１０…送信器、１２…アンテナ、１４…送信部、１６…操作ＳＷ、１８…電池、２０…マイコン、３０…受信器、３２…アンテナ、３４…表示部、３６…操作部、３８…通信部、４０…マイコン、４２…不揮発性メモリ、４４…音声信号生成部、４６…スピーカ、４８…電源部、４９…ＡＣアダプタ、５０…中継器、５２…アンテナ、５４…電源ランプ、５６…操作部、５８…通信部、６０…マイコン、６２…不揮発性メモリ、６４…音声信号生成部、６６…スピーカ、６８…電源部、６９…ＡＣアダプタ。
【図１】
2015177448.tif 000003
【図２】
2015177448.tif 000004
【図３】
2015177448.tif 000005
【図４】
2015177448.tif 000006
【図５】
2015177448.tif 000007